(57)【要約】【課題】本発明は非加熱式無人煙霧機に関するもので、特に設置場所の変更が容易で、設置費用が廉価であり、薬剤の噴霧効率を高めることができる非加熱式無人煙霧機に関する発明である。【解決手段】前記目的を達するための本発明の非加熱式無人煙霧機は、煙霧剤を収容する煙霧剤筒と、薬剤を収容する一つ以上の薬剤筒と、前記煙霧剤と薬剤を煙霧形態で噴射する噴射ノズルと、前記煙霧剤筒から前記噴射ノズルに連結された煙霧剤移送管に沿って前記煙霧剤を移送させ、前記噴射ノズルで煙霧剤が噴射されるように加圧する煙霧剤ピストンポンプと、前記煙霧剤ピストンポンプを通る煙霧剤を加熱するヒーティング部と、前記薬剤筒から前記噴射ノズルに連結された薬剤移送管に沿って前記薬剤を移送させる薬剤ピストンポンプとを含むことを特徴とする。【選択図】図１
2018504107.tif 000002
【特許請求の範囲】
【請求項１】
煙霧剤を収容する煙霧剤筒と、
薬剤を収容する一つ以上の薬剤筒と、
前記煙霧剤と薬剤を煙霧形態で噴射する噴射ノズルと、
前記煙霧剤筒から前記噴射ノズルに連結された煙霧剤移送管を通して前記煙霧剤を移送させ、前記噴射ノズルから煙霧剤が噴射されるように加圧する煙霧剤ピストンポンプと、
前記煙霧剤ピストンポンプを通る煙霧剤を加熱する加熱部と、
前記薬剤筒から前記噴射ノズルに連結された薬剤移送管を通って前記薬剤を移送させる薬剤ピストンポンプとを含むことを特徴とする非加熱式無人煙霧機。
【請求項２】
前記煙霧剤と前記薬剤は前記噴射ノズル内部で混合されることを特徴とする請求項１に記載の非加熱式無人煙霧機。
【請求項３】
前記噴射ノズルは、
前記加熱部から供給される煙霧剤が流入されるヒーティング連結部と、
前記一つ以上の薬剤移送管が連結され、前記薬剤を前記噴射ノズルの内部に噴射する一つ以上の薬剤噴射ノズルと、
前記噴射ノズルの内部で混合された前記煙霧剤と薬剤が噴射されるノズル連結部とを含むことを特徴とする請求項２に記載の非加熱式無人煙霧機。
【請求項４】
前記噴射ノズルの内部には円柱状の中空が形成され、前記中空はねじ山状のしわ柄形態で形成されたことを特徴とする請求項２に記載の非加熱式無人煙霧機。
【請求項５】
前記煙霧剤筒と前記煙霧剤ピストンポンプとの間には煙霧剤薬量調節ボールバルブが設置され、前記薬剤筒と前記薬剤ピストンポンプとの間には薬剤薬量調節ボールバルブがそれぞれ設置されることを特徴とする請求項１に記載の非加熱式無人煙霧機。
【請求項６】
前記薬剤ピストンポンプと前記薬剤噴射ノズルとの間及び前記煙霧剤ピストンポンプと前記煙霧剤薬量調節ボールバルブとの間にはチェックバルブがそれぞれ設置されることを特徴とする請求項５に記載の非加熱式無人煙霧機。
【請求項７】
前記噴射ノズルの下端には前記噴射ノズルから噴射される前記煙霧剤と薬剤をより遠く噴射させる送出ファンをさらに含むことを特徴とする請求項１に記載の非加熱式無人煙霧機。
【請求項８】
前記煙霧剤筒には前記煙霧剤の残量を測定する煙霧剤残量センサーが備えられ、前記薬剤筒には前記薬剤の残量を測定する薬剤残量センサーが備えられ、前記加熱部には前記ヒーティング部の温度を測定する温度センサーが備えられることを特徴とする請求項１に記載の非加熱式無人煙霧機。
【請求項９】
前記煙霧剤残量センサー、薬剤残量センサー、温度センサーで測定される測定値と使用者が既設定した設定値に基づいて前記煙霧剤ピストンポンプ、薬剤ピストンポンプ、加熱部を制御する制御部がさらに備えられることを特徴とする請求項８に記載の非加熱式無人煙霧機。
【請求項１０】
前記制御部は前記温度センサーで測定される温度値が既設定された値以上になる時のみ前記薬剤ピストンポンプを駆動させることができることを特徴とする請求項９に記載の非加熱式無人煙霧機。
【発明の詳細な説明】
【技術分野】
【０００１】
本発明は非加熱式無人煙霧機に関するもので、特に、設置場所の変更が容易で、設置費用が廉価であり、薬剤の噴霧効率を高めることができる非加熱式無人煙霧機に関する発明である。
【背景技術】
【０００２】
一般的に、きのこや花卉、野菜などを栽培するためのビニールハウスや牛や豚、鶏などの家畜を飼うための畜舎内には内部温度及び湿度を調節したり、植物の成長や伝染病などを予防するために水や消毒薬などをまく。
【０００３】
このような用水や消毒薬などは通常人が直接ホースを利用して噴霧するため、たくさんの労動力が必要となるだけでなく、人の体が消毒薬剤に露出されて薬物中毒などの事故を引き起こす問題があった。
【０００４】
それにより、最近には畜舎やビニールハウスの天井に噴射ノズルが形成されたメイン配管を設置し、高圧ポンプを利用して水や薬剤などを噴霧している。
【０００５】
しかしながら、従来にはビニールハウスや畜舎に薬剤を噴霧するための薬剤噴霧装置が大部分固設されるため、病虫害や伝染病などの発生場所が変更される場合、速かに対処することができないだけでなく、薬剤噴霧装置の設置場所の変更にたくさんの時間と人力が無駄使いされるという問題があった。
【０００６】
そこで、一部大型農家及び施設ハウスなどでは無人防除設備を揃えて防除を実施しているが、費用対比効果は些細な実情であり、メンテナンスのための費用も毎年増加して現実的に実効性が低いと見られる。
【０００７】
特に、冬期には配管パイプと水が凍って必要な時期にまともに防除を行うことができないか、直接加熱による薬効の変形及び喪失が発生し、不完全燃焼によるコールタールの発生で煙霧装置の撒布ノズルが塞がれて頻繁に故障されるなどの問題が頻繁に発生するという限界があった。
【０００８】
従って、誰でも簡便に設置・運用することができ、メンテナンスが容易で、溶剤と接触することなく全ての作業環境で安全に用いることができる無人煙霧機の必要性が切実な実情である。
【発明の概要】
【発明が解決しようとする課題】
【０００９】
本発明は上述したような問題点を解決するために案出されたもので、使いやすくて、携帯性が良く、メンテナンスが容易な無人煙霧機を提供することを目的とする。
【課題を解決するための手段】
【００１０】
上記目的を達するための本発明の非加熱式無人煙霧機は、煙霧剤を収容する煙霧剤筒と、薬剤を収容する一つ以上の薬剤筒と、上記煙霧剤と薬剤を煙霧形態で噴射する噴射ノズルと、上記煙霧剤筒から上記噴射ノズルに連結された煙霧剤移送管に沿って上記煙霧剤を移送させ、上記噴射ノズルで煙霧剤が噴射されるように加圧する煙霧剤ピストンポンプと、上記煙霧剤ピストンポンプを通った煙霧剤を加熱するヒーティング部と、上記薬剤筒から上記噴射ノズルに連結された薬剤移送管に沿って上記薬剤を移送させる薬剤ピストンポンプとを含むことを特徴とする。
【００１１】
この時、上記煙霧剤と上記薬剤は予め混合しないで、上記噴射ノズル内部で外部に噴射される直前に混合されるようにするために、上記噴射ノズルには上記ヒーティング部から供給される煙霧剤が流入されるヒーティング連結部と、上記一つ以上の薬剤移送管が連結され、上記薬剤を上記噴射ノズルの内部に噴射する一つ以上の薬剤噴射ノズルと、上記噴射ノズルの内部で混合された上記煙霧剤と薬剤が噴射されるノズル連結部とを含むことを特徴とする。
【００１２】
また、上記噴射ノズルで上記煙霧剤と薬剤が混合する効率を向上させるために、上記噴射ノズルの内部には円柱状の中空が形成され、上記中空はねじ山状のしわ柄形態で形成することを特徴とする。
【００１３】
一方、上記煙霧剤と薬剤の薬量を調節するために、上記煙霧剤筒と上記煙霧剤ピストンポンプとの間には煙霧剤薬量調節ボールバルブが設置され、上記煙霧剤筒と上記薬剤ピストンポンプとの間には薬剤薬量調節ボールバルブがそれぞれ設置されることを特徴とする。
【００１４】
この時、煙霧剤と薬剤の逆流を防止するために、上記薬剤ピストンポンプと上記薬剤噴射ノズルとの間及び上記煙霧剤ピストンポンプと上記煙霧剤薬量調節ボールバルブとの間にはチェックバルブがそれぞれ設置されることを特徴とする。
【００１５】
一方、上記煙霧剤筒には上記煙霧剤の残量を測定する煙霧剤残量センサーが備えられ、上記薬剤筒には上記薬剤の残量を測定する薬剤残量センサーが備えられ、上記ヒーティング部には上記ヒーティング部の温度を測定する温度センサーが備えられることを特徴とする。
【００１６】
この時、上記煙霧剤残量センサー、薬剤残量センサー、温度センサーで測定される測定値と使用者が既設定した設定値に基づいて上記煙霧剤ピストンポンプ、薬剤ピストンポンプ、ヒーティング部を制御する制御部がさらに備えられることを特徴とする。
【発明の効果】
【００１７】
従って、本発明の非加熱式無人煙霧機は、水に希釈しないで、原液状態で多種の薬剤を煙霧化して処理空間内に全体的に均一に拡散させることによって、管理及び防除作業の効率性が向上し、少量の薬剤撒布で高い効果を奏するという長所がある。
【００１８】
また、本発明の非加熱式無人煙霧機は多様な農作物の病虫害予防及び早期管理が容易になって、大規模の被害が発生する前に積極的で先制的な管理ができるので、農作物の管理に対する経済的な損失費用を大幅に減少することができる。
【００１９】
また、従来処理することができなかった親環境資材及び肥料なども本発明の非加熱式無人煙霧機に適用することができて、一台の装置で多様な機能を行う特別な効果を奏する。
【図面の簡単な説明】
【００２０】
【図１】本発明の非加熱式無人煙霧機の主要構成を示す斜視図である。
【図２】本発明の非加熱式無人煙霧機の本体部後面を示す図面である。
【図３】本発明の非加熱式無人煙霧機の主要構成を示す図面である。
【図４】本発明の一実施例による非加熱式無人煙霧機の噴射ノズル部分の主要構成を示す図面である。
【図５】本発明の一実施例による非加熱式無人煙霧機の噴射ノズル内部の主要構成を示す図面である。
【発明を実施するための形態】
【００２１】
以下、添付された図面を参照して本発明の非加熱式無人煙霧機について詳しく説明する。
【００２２】
図１は本発明の非加熱式無人煙霧機の主要構成を示す斜視図で、図１に示すように、本発明の非加熱式無人煙霧機は、非加熱式無人煙霧機の本体部１０、煙霧剤を収容する煙霧剤筒２０、薬剤を収容する一つ以上の薬剤筒３０、上記煙霧剤と薬剤を煙霧形態で噴射する噴射ノズル４０、上記本体部を移動させる時に用いる取っ手部５０、上記噴射ノズル４０の下端には上記噴射ノズル４０から噴射される上記煙霧剤と薬剤の混合液をより遠くまで噴射させる送出ファン６０を含む。
【００２３】
この時、用いられる送出ファン６０は多様なファンが適用されることができるが、好ましい一実施例としては、上下左右１８０゜ブレード角度調節型ファンが付着されることができ、消費電力の節減と安全を考慮すれば煙霧噴射と連動して駆動されるように制御する。
【００２４】
この時、上記本体部１０の内部には後述する各種シリンダーポンプ、ヒーティング装置などが含まれているので、上記本体部１０の内部に加熱された空気を外部に排出させるために本体部１０の側面に複数の放熱溝９１を形成する。
【００２５】
一方、上記本体部１０の下端には上記本体部１０が煙霧剤と薬剤を噴射する間、上記本体部１０を安定的に固定する支持台７０を含む。
【００２６】
この時、上記支持台７０は通常の支持装置の多様な構成が適用可能であるが、好ましい一実施例では長さ調節が可能な三脚を適用することができる。また、上記三脚が地面と接触する部分での安定性を向上するために角度調節が可能な足場部７１を備えることもできる。
【００２７】
一方、本発明の非加熱式無人煙霧機は、人が直接作業しない場合にも作動されて撒布される薬剤が人体に有害になることを考慮して遠隔で調整可能なリモコン８０を含む。
【００２８】
図２は本発明の非加熱式無人煙霧機の本体部１０の後面を示す。以上で説明したように、本発明の無線リモコン８０は遠隔で非加熱式無人煙霧機を制御することができ、このために非加熱式無人煙霧機の本体部１０の後面には無線リモコン受信部８１が備えられる。
【００２９】
また、本発明は無線形態のリモコン８０と同時に有線形態の有線リモコン８２も含むことが好ましい。
【００３０】
また、後述する各種シリンダー及び発熱部、送出ファン６０に電源を供給するための電源ケーブル８４と電源スイッチ８３が備えられる。
【００３１】
図３は本発明の非加熱式無人煙霧機の主要構成を示す。
【００３２】
まず、煙霧剤の場合、煙霧剤筒２０に収容された煙霧剤は煙霧剤ピストンポンプ２２によって煙霧剤移送管を通して噴射ノズル４０に移送される。この時、煙霧剤ピストンポンプは通常の定量ポンプが適用されることができるが、好ましい一実施例では、後述するヒーティング部で１．５ｋＷで発熱させる場合、２．５ｂａｒ、１００ｃｃ／ｍｉｎ、４５ｄｂの規格を有するピストン定量ポンプを用い、交換及び補修の容易性を考慮してネオジウム磁石を利用した定量ポンプに固定することが好ましい。また、ピストン定量ポンプに用いられるオリング（Ｏ−ｒｉｎｇ）は耐酸及び耐圧に強いバイトン材質で製作することが好ましい。
【００３３】
一方、用いられる煙霧剤はポリエチレングリコール（ＰＧ）とグリセリン（ＶＧ）が混合された煙霧剤、ＤＥＧ、軽油などを用いることができる。
【００３４】
この時、通常、水に溶ける乳剤成分である殺菌・殺虫成分の化学成分を希釈して撒布するが、このような方式は一定期間撒布すると、ノズルの詰まりとヒーティングコイルの内部にコールタールが沈着されてこれ以上用いることができない場合が発生するので、本発明では煙霧剤と薬剤を二元してそれぞれ独立的な移送管で噴射ノズル４０に移送する。
【００３５】
一方、煙霧剤が煙霧剤ピストンポンプ２２によって噴射ノズルに移送される前に煙霧剤ピストンポンプ２２と噴射ノズル４０との間に加熱部２６を設置する。
【００３６】
煙霧剤は加熱部２６の内部に設置されたヒーティングコイル（図示しない）によって加熱され、加熱された煙霧剤が煙霧剤移送管を通じて通りながら気化されて煙霧に変わるようになる。
【００３７】
一方、加熱部２６は温度制御機２７によってその温度が制御され、加熱部２６の内部には熱感知センサー（図示しない）が備えられ、上記熱感知センサーが適正温度まで上昇すると、煙霧剤ピストンポンプ２２を可動し、その後０．２〜０．３秒後に後述する薬剤ピストンポンプ３２を可動して、薬液自体が原液に撒布されることを防止し、噴射ノズル４０の内部で薬剤が煙霧剤と均一に混合されるようにする。
【００３８】
即ち、加熱部２６は煙霧剤ピストンポンプ２２によって移送された煙霧剤のみ高い温度で加熱する。
【００３９】
一方、煙霧剤ピストンポンプ２２は煙霧剤がない状態で空回しをすれば、薬剤が煙霧剤筒２０へ逆流されることがあるため、煙霧剤ピストンポンプ２２と煙霧剤筒２０との間に煙霧剤逆流バルブ２５を設置する。
【００４０】
また、上記煙霧剤逆流バルブ２５と煙霧剤筒２０との間には煙霧剤薬量調節ボールバルブ２１を設置して、煙霧剤筒２０から噴射ノズル４０に移送される煙霧剤の量を調節する。
【００４１】
次に、薬剤の場合、薬剤筒２０に収容された薬剤は薬剤ピストンポンプ３２によって薬剤移送管を通って噴射ノズル４０に移送される。この時、薬剤ピストンポンプは通常の定量ポンプが適用されることができるが、好ましい一実施例としては２．５ｂａｒ、１００ｃｃ／ｍｉｎ、４５ｄｂの規格を有するピストン定量ポンプを用い、交換及びメンテナンスの容易性を考慮してネオジウム磁石を利用した定量ポンプに固定することが好ましい。また、ピストン定量ポンプに用いられるオリング（Ｏ−ｒｉｎｇ）は耐酸及び耐圧に強いバイトン材質で製作することが好ましい。
【００４２】
この時、薬剤及び薬剤ピストンポンプ３２の数量は用いられる薬剤の種類及び特性によって変更が可能であるが、本発明の一実施例では、薬剤筒は１リットル２つをそれぞれ備える。この時、薬剤筒にはそれぞれ異なる防除物質及び親環境資材、肥料などを原液または適正倍液で希釈して薬剤を形成する。
【００４３】
一方、薬剤ピストンポンプ３２は薬剤がない状態で空回しをすれば、噴射ノズル４０の内部の高温高圧の煙霧剤が薬剤ピストンポンプ３２に逆流されて損傷及び故障が発生することになる。従って、薬剤ピストンポンプ３２と噴射ノズル４０との間に薬剤逆流バルブ３５を設置する。
【００４４】
また、上記薬剤ピストンポンプ３２と薬剤筒３０との間には薬剤薬量調節ボールバルブ３１を設置して薬剤筒３０から噴射ノズル４０に移送される薬剤の量を調節するようになる。
【００４５】
一方、本発明の薬剤ピストンポンプ３２、煙霧剤ピストンポンプ２２、温度制御機２７は制御機（図示しない）によって調整される。
【００４６】
一方、上記煙霧剤筒２０と薬剤筒３０の内部にはそれぞれ煙霧剤残量センサー（図示しない）及び薬剤残量センサー（図示しない）を備えて煙霧剤或は薬剤が不足する場合、これに対する信号を制御機が使用者に送信するように構成される。
【００４７】
図４は本発明の一実施例における噴射ノズルの主要構成を示す。
【００４８】
この時、噴射ノズル４０は大きくノズル４１、真ちゅう４３、ヒーティング連結部４２で構成される
【００４９】
まず、ノズル４１は煙霧剤及び薬剤を噴射ノズル４０の外部に排出させる役割を果たし、噴射ノズル４０の前端に結合される。
【００５０】
この時、ノズル４１は取替型ノズルで薬量、噴射距離、噴射角度などによってノズルの形状と大きさ及び噴射ノズル孔４１２の大きさを調節することができる。
【００５１】
一方、噴射ノズル４０の後段にはヒーティング連結部４２が結合され、上記ヒーティング連結部４２はヒーティング部４０と結合されて、上記ヒーティング部４０で加熱された高温高圧の噴霧形態の煙霧剤は上記ヒーティング連結部４２を通過して噴射ノズル４０に移送される。
【００５２】
この時、上記ヒーティング連結部はヒーティングコイルによって加熱された熱を真ちゅう４３に効率的に伝達するように黄銅で製作することが好ましい。また、真ちゅう４３とノズル４１も熱伝逹率の高い黄銅で製作することが好しい。
【００５３】
一方、噴射ノズル４０の両側面には薬剤移送管４５から移送された薬剤が噴射される薬剤噴射ノズル４４が結合されている。従って、薬剤は煙霧剤と分離された経路に沿って噴射ノズル４０に移送されて、噴射ノズル４０の内部で高温高圧の煙霧剤と室温の薬剤が混合されるようになる。
【００５４】
この時、薬剤噴射ノズル４４の内部には薬液噴射のための薬剤噴射ノズル孔４４１が備えられ、ノズル孔の大きさは１ｍｍの前後に形成することが好ましい。
【００５５】
図５は本発明の一実施例における噴射ノズルの内部の主要構成を示す。
【００５６】
本発明の一実施例による真ちゅう４３は六角柱形状で、長さは約８ｃｍ程度に形成される。この時、真ちゅう４３の内部には円柱形状の中空４８が形成され、上記中空４８は真ちゅう４３の前面にはノズル４１と結合するためのノズル結合孔４３１と連結され、後面にはヒーティング部２６と結合するためのヒーティング部結合孔４３２と連結される。
【００５７】
この時、上記真ちゅう４３の内部では真ちゅう４３の内部に流入される高温、高圧の煙霧剤と室温の薬剤が混合されるので、煙霧剤と薬剤が混合される効率を向上するために、上記中空４８はねじ山状のしわ柄形態で形成する。
【００５８】
一方、上記真ちゅう４３の両側面には薬剤噴射ノズル４４が結合される薬液噴射ノズル結合孔４７が形成されて、内部の中空４８と通孔される。従って、薬剤噴射ノズル４４で噴射される薬液は高温、高圧の煙霧剤と互いに垂直に交差しながら混合されるようになる。
【００５９】
このような構成は薬剤を直接加熱しないで煙霧の形態で形成することができて薬剤の変形による成分の変化、薬剤の不完全燃焼によるコールタール生成などの問題を解決することができる。
【００６０】
一方、本発明の薬剤ピストンポンプ３２、煙霧剤ピストンポンプ２２、温度制御機２７は外部無線リモコン８０によって操作可能になるように本発明の非加熱式無人煙霧機には無線リモコン受信装置８１が備えられる。
【００６１】
また、有線リモコン８２を別途に備えて薬剤との接触を避けながら防除が行われる過程をよく制御することができるようにする。
【００６２】
上記のように構成される非加熱式無人煙霧機の構成及び活用は当業者であれば本発明の技術的思想を逸脱しない範囲内で多様な変更及び修正が可能であることを理解すべきである。従って、本発明の技術的範囲は明細書の詳細な説明に記載された内容に限定されるのではなく、特許請求範囲によって定められるべきである。
【産業上の利用可能性】
【００６３】
本発明の非加熱式無人煙霧機は多様な分野の農産物の栽培に適用されることができ、薬剤の種類にかかわらず無人で作動可能な特殊な効果もあるので、産業上の利用可能性が十分である。
【図１】
2018504107.tif 000003
【図２】
2018504107.tif 000004
【図３】
2018504107.tif 000005
【図４】
2018504107.tif 000006
【図５（ａ）】
2018504107.tif 000007
【図５（ｂ）】
2018504107.tif 000008
【国際調査報告】
2018504107.tif 000009
2018504107.tif 000010
2018504107.tif 000011
2018504107.tif 000012